(57)【要約】【課題】  電子レンジ加熱調理時に内容物の熱や重量によって内容器が垂下し難く、使い勝手の良い電子レンジ加熱用容器及び電子レンジ加熱用包装食品の提供。【解決手段】  熱可塑性樹脂発泡成形体からなり、開口部を外側に向け屈曲させて形成された鍔部４を有する外容器２と、熱可塑性樹脂シート成形体からなり、開口部を外側に向け屈曲させて形成されたフランジ部５と、該フランジ部より先端側を上側に向けて立ち上げ、さらに断面が逆Ｕ字状又は逆Ｖ字状に折り返して形成された口部６と、該口部の先端側を前記フランジ部より下方まで垂下させるとともに、一部を開口部内側方向に膨出させた係止部７を持つ垂下部８とが形成された内容器３とを有し、前記外容器内に前記内容器を入れ、内容器に内容物を入れた状態で、内容器のフランジ部下面が外容器の鍔部上面に当接することを特徴とする電子レンジ加熱用容器１。【選択図】  図１
2005343533.tif 000002
【特許請求の範囲】
【請求項１】
熱可塑性樹脂発泡成形体からなり、開口部を外側に向け屈曲させて形成された鍔部を有する外容器と、熱可塑性樹脂シート成形体からなり、開口部を外側に向け屈曲させて形成されたフランジ部と、該フランジ部より先端側を上側に向けて立ち上げ、さらに断面が逆Ｕ字状又は逆Ｖ字状に折り返して形成された口部と、該口部の先端側を前記フランジ部より下方まで垂下させるとともに、一部を開口部内側方向に膨出させた係止部を持つ垂下部とが形成された内容器とを有し、前記外容器内に前記内容器を入れ、内容器に内容物を入れた状態で、内容器のフランジ部下面が外容器の鍔部上面に当接することを特徴とする電子レンジ加熱用容器。
【請求項２】
前記外容器の鍔部突端が内容器の口部又は垂下部に接触していることを特徴とする請求項１に記載の電子レンジ加熱用容器。
【請求項３】
前記口部が厚さ１〜１０ｍｍ、高さ５〜４０ｍｍの二重壁構造であることを特徴とする請求項１又は２に記載の電子レンジ加熱用容器。
【請求項４】
前記口部と前記垂下部との間に、前記フランジ部とほぼ同じ高さの段部が形成されたことを特徴とする請求項１〜３のいずれかに記載の電子レンジ加熱用容器。
【請求項５】
前記口部の内側上部に周方向に沿って円弧状の凹部が連続して形成されたことを特徴とする請求項１〜４のいずれかに記載の電子レンジ加熱用容器。
【請求項６】
前記口部の内側に蓋を案内するテーパー状の嵌合部が形成されたことを特徴とする請求項１〜５のいずれかに記載の電子レンジ加熱用容器。
【請求項７】
前記外容器の鍔部上面が略水平面であり、且つ鍔部基端から突端までの長さが３ｍｍ以上であることを特徴とする請求項１〜６のいずれかに記載の電子レンジ加熱用容器。
【請求項８】
前記外容器の外面および／または内面に熱可塑性樹脂フィルムが貼付されたことを特徴とする請求項１〜７のいずれかに記載の電子レンジ加熱用容器。
【請求項９】
前記垂下部に外側に向けて突出する把手が形成されたことを特徴とする請求項１〜８のいずれかに記載の電子レンジ加熱用容器。
【請求項１０】
請求項１〜９のいずれかに記載の電子レンジ加熱用容器の内容器内に食品を収容し、内容器に蓋を嵌着し包装してなることを特徴とする電子レンジ加熱用包装食品。
【請求項１１】
前記食品が、液体成分を食品固化剤で固め、加熱時に液体成分が溶融可能に調製されたことを特徴とする請求項１０に記載の電子レンジ加熱用包装食品。
【発明の詳細な説明】
【技術分野】
【０００１】
本発明は、熱可塑性樹脂発泡成形体からなる外容器と、熱可塑性樹脂成形体からなる内容器とを組み合わせた二重容器構造の電子レンジ加熱用容器と、その内容器に食品を収容し包装した電子レンジ加熱用包装食品に関する。
【背景技術】
【０００２】
従来、電子レンジによってそのまま加熱調理することができる二重容器構造の電子レンジ加熱用容器としては、例えば、特許文献１〜３に記載された技術が提案されている。
特許文献１には、内容器本体の周壁の上端からこの周壁と間隔をもって垂下するスカート部を設け、このスカート部の下端外周に第１のカラー部を設け、外容器本体の周壁の上端外周に前記第１のカラー部と対応する第２のカラー部を設け、前記第１と第２のカラー部の外周を互に係合して、前記内容器本体の底壁及び周壁と、前記外容器本体の底壁及び周壁との間に所定の間隙を形成した電子レンジ用容器が開示されている。
特許文献２には、内容器と外容器とから成ると共に、該内容器と該外容器との間にスペース空間を存して成る電子レンジ用容器が開示されている。
特許文献３には、外容器と内容器による二重容器であって、外容器は熱可塑性発泡樹脂シートから成形された容器からなり、内容器は耐熱性の非発泡樹脂シートから成形された容器からなり、外容器と内容器との間には、少なくとも底面間に空気層となる空間を形成した状態で、内容器が外容器内に挿入されて組み合わされていることを特徴とする食品用合成樹脂製二重容器が開示されている。
【特許文献１】特開平１１−５６６２１号公報
【特許文献２】実開平４−１１３０７号公報
【特許文献３】実用新案登録第３０２３９００号公報
【発明の開示】
【発明が解決しようとする課題】
【０００３】
しかしながら、前述した従来技術には、次のような問題があった。
特許文献１に開示された容器は、縦方向の突き合わせで内容器を強く支えているというが、内容物の重量で口部が内側に撓みやすく、更に、電子レンジ加熱により、内容器の壁から熱を受けた内・外容器間の空間の空気が対流により口部内に至り、前記撓みを助長する結果、内容器の垂下を十分に防ぐことができないという問題があった。
この結果、外容器が特に底部で熱くなるため、容器を片手で持ち難く、また手で持った時に軟化・変形し、内容物がこぼれたりする恐れがあった。
また、従来の容器は、容器口部の断面形状が裾広がりであったり、容器側面上部外周に大きな膨らみがあるなど、それ自体を食器として使用するのに適した形状となるように考慮されていない。
【０００４】
特許文献２に開示された容器は、内容器の口縁に延設した周壁と、該外容器の口縁とを相互に嵌合係着させ、内容器と該外容器との間にスペース空間を設けた構成なので、内容物の重量で口部が内側に撓みやすく、更に、電子レンジ加熱により、内容器の壁から熱を受けた内・外容器間の空間の空気が対流により口部内に至り、前記撓みを助長する結果、内容器の垂下を十分に防ぐことができないという問題があった。
この結果、外容器が特に底部で熱くなるため、容器を片手で持ち難く、また手で持った時に軟化・変形し、内容物がこぼれたりする恐れがあった。
【０００５】
特許文献３に開示された容器は、外容器の内方に段部を形成し、この段部に載せ得る縁部を内容器の外周に形成し、この内容器を外容器内に挿入し組み合わせてなるものなので、内容器の口部が外容器上端よりも下方にあるので、内容器に入ったスープなどの液体を飲むことができず、麺類、スープ、汁物等の液体物を収容する用途には不向きである。
【０００６】
本発明は前記事情に鑑みてなされ、電子レンジ加熱調理時に内容物の熱や重量によって内容器が垂下し難く、使い勝手の良い電子レンジ加熱用容器及び電子レンジ加熱用包装食品の提供を目的とする。
【課題を解決するための手段】
【０００７】
前記目的を達成するため、本発明は、熱可塑性樹脂発泡成形体からなり、開口部を外側に向け屈曲させて形成された鍔部を有する外容器と、熱可塑性樹脂シート成形体からなり、開口部を外側に向け屈曲させて形成されたフランジ部と、該フランジ部より先端側を上側に向けて立ち上げ、さらに断面が逆Ｕ字状又は逆Ｖ字状に折り返して形成された口部と、該口部の先端側を前記フランジ部より下方まで垂下させるとともに、一部を開口部内側方向に膨出させた係止部を持つ垂下部とが形成された内容器とを有し、前記外容器内に前記内容器を入れ、内容器に内容物を入れた状態で、内容器のフランジ部下面が外容器の鍔部上面に当接することを特徴とする電子レンジ加熱用容器を提供する。
本発明の電子レンジ加熱用容器において、前記外容器の鍔部突端が内容器の口部又は垂下部に接触していることが好ましい。
本発明の電子レンジ加熱用容器において、前記口部が厚さ１〜１０ｍｍ、高さ５〜４０ｍｍの二重壁構造であることが好ましい。
本発明の電子レンジ加熱用容器において、前記口部と前記垂下部との間に、前記フランジ部とほぼ同じ高さの段部が形成されたことが好ましい。
本発明の電子レンジ加熱用容器において、前記口部の内側上部に周方向に沿って円弧状の凹部が連続して形成されたことが好ましい。
本発明の電子レンジ加熱用容器において、前記口部の内側に蓋を案内するテーパー状の嵌合部が形成されたことが好ましい。
本発明の電子レンジ加熱用容器において、前記外容器の鍔部上面が略水平面であり、且つ鍔部基端から突端までの長さが３ｍｍ以上であることが好ましい。
本発明の電子レンジ加熱用容器において、前記外容器の外面および／または内面に熱可塑性樹脂フィルムが貼付されたことが好ましい。
本発明の電子レンジ加熱用容器において、前記垂下部に外側に向けて突出する把手が形成されていることが好ましい。
【０００８】
また本発明は、前述した本発明に係る電子レンジ加熱用容器の内容器内に食品を収容し、内容器に蓋を嵌着し包装してなることを特徴とする電子レンジ加熱用包装食品を提供する。
本発明の電子レンジ加熱用包装食品において、前記食品が、液体成分を食品固化剤で固め、加熱時に液体成分が溶融可能に調製されたことが好ましい。
【発明の効果】
【０００９】
本発明の電子レンジ加熱用容器は、熱可塑性樹脂発泡成形体からなり、開口部を外側に向け屈曲させて形成された鍔部を有する外容器と、熱可塑性樹脂シート成形体からなり、開口部を外側に向け屈曲させて形成されたフランジ部と、該フランジ部より先端側を上側に向けて立ち上げ、さらに断面が逆Ｕ字状又は逆Ｖ字状に折り返して形成された口部と、該口部の先端側を前記フランジ部より下方まで垂下させるとともに、一部を開口部内側方向に膨出させた係止部を持つ垂下部とが形成された内容器とを有し、前記外容器内に前記内容器を入れ、内容器に内容物を入れた状態で、内容器のフランジ部下面が外容器の鍔部上面に当接する構成としたので、内容器の変形し易いフランジ部を外容器鍔部で直接支えることができ、内容器に内容物を収容して電子レンジ加熱した時に、内容物の熱や重量負荷による内容器の垂下を防いで外容器と内容器の接触を防止できる。
また、内容器と外容器の間の空気がフランジ部で遮断されて口部に至らないので、口部が熱くならない。
また、外容器が発泡体なので、電子レンジ加熱後も容器外側は熱くならず、容器を手で持っても熱くない。
また、発泡体は熱伝導率が低く曲げ強度が強いので、電子レンジ加熱後に外容器を手で持った際に変形し難い。
また、口部断面が逆Ｕ字状又は逆Ｖ字状なので、内容器口部から直接液体を飲みやすい形状である。
また、口部と前記垂下部との間に、フランジ部とほぼ同じ高さの段部を形成したことにより、内容器がフランジ部と段部の２箇所で外容器の鍔部に支持されるので、内容器が更に安定して支持される。
また、口部の内側上部に周方向に沿って円弧状の凹部を連続して形成したことにより、内容器口部から直接液体を飲む際に、口の端から液体が漏れることが少なくなる。
また、口部の内側に蓋を案内するテーパー状の嵌合部を形成したことにより、内容器の口部に蓋をスムーズに案内し、この蓋を内嵌合してしっかり固定できるので、誤って容器を傾けても内容物がこぼれることを防止できる。
また、外容器の鍔部上面を略水平面とし、且つ鍔部基端から突端までの長さを３ｍｍ以上としたので、内容器を支える幅が広く、内容器をより安定して支持できる。
また、外容器の外面および／または内面に熱可塑性樹脂フィルムを貼付したことにより、外容器外面の傷付き防止及び装飾や表示が可能となり、外容器の意匠性を向上できる。
【００１０】
本発明の電子レンジ加熱用包装食品は、前述した本発明の電子レンジ加熱用容器の内容器内に食品を収容し、内容器に蓋を嵌着し包装してなるものなので、そのまま電子レンジ調理でき、外容器が熱くならず、変形し難いので、加熱後の取り扱いが容易である。
また、液体成分を食品固化剤で固め、加熱時に液体成分が溶融可能に調製された食品を用いることで、運搬・保管が容易である。
また、電子レンジ調理に際し、スープ等を収納した袋を破って主食に振りかけたり、水を加えたりする手間が必要ないので、老人や子供でも簡単に調理し摂食できる。
【発明を実施するための最良の形態】
【００１１】
以下、図面を参照して本発明の実施形態を説明する。
図１〜３は、本発明の電子レンジ加熱用容器の第１実施形態を示す図であり、図１は電子レンジ加熱用容器１の断面図、図２は電子レンジ加熱用容器の要部拡大断面図、図３は内容器３の斜視図である。これらの図中、符号１は電子レンジ加熱用容器、２は外容器、３は内容器、４は鍔部、５はフランジ部、６は口部、７は係止部、８は垂下部、９は嵌合部、１０は円弧状凹部、１１は蓋、１２は嵌合凸部、１３は蓋ツマミ片、１４は把手である。
【００１２】
本実施形態の電子レンジ加熱用容器１は、熱可塑性樹脂発泡成形体からなり、開口部を外側に向け屈曲させて形成された鍔部４を有する外容器２と、熱可塑性樹脂シート成形体からなり、開口部を外側に向け屈曲させて形成されたフランジ部５と、該フランジ部５より先端側を上側に向けて立ち上げ、さらに断面が逆Ｕ字状又は逆Ｖ字状に折り返して形成された口部６と、該口部６の先端側を前記フランジ部５より下方まで垂下させるとともに、一部を開口部内側方向に膨出させた係止部７を持つ垂下部８とが形成された内容器３とからなり、外容器２内に内容器３を入れ、内容器３に内容物を入れた状態で、内容器３のフランジ部５下面が外容器２の鍔部４上面に当接する構成になっている。
【００１３】
本発明において、電子レンジ加熱用容器の全体形状は特に限定されないが、鍋物、麺類、おかゆ、スープ、煮物、汁物等の食品に好適な形状として、丼や鍋の形状が好適に使用できる。容器開口部の形状は、円形、楕円形が好ましいが、矩形や多角形も使用できる。容器の開口と深さの関係で言えば、内容器３の短径ａが７５〜１８０ｍｍ程度、及びａと深さｂとの比ｂ／ａが０．２〜１の範囲であることが好ましい。比ｂ／ａが０．２未満であると、浅すぎて前記の食品用の容器として好ましくない。比ｂ／ａが１を超えると、コップ状になり、やはり前記食品に適さない。
本実施形態では、容器開口部が円形であり、丼形状をなす電子レンジ加熱用容器１を例示している。また、本実施形態では、外容器２と内容器３とを組み合わせた二重容器構造の電子レンジ加熱用容器１と、その内容器３の口部６に着脱可能に内嵌合される蓋１１とを組み合わせた構成になっている。
【００１４】
本実施形態において、外容器２は、ポリエチレン系樹脂、ポリスチレン系樹脂、ポリプロピレン系樹脂等の樹脂を１．５倍以上の発泡倍率で発泡させた、厚さ０．３ｍｍ以上の発泡樹脂シートを真空成形、圧空成形、或いは真空・圧空成形等で容器の形状に成形したものが好ましく使用できる。また、前記成形時又は成形後に追加の発泡をさせて発泡倍率を高めることもできる。発泡樹脂シートの厚さが０．３ｍｍ未満であると、容器として形状を保持するのに必要な強度が不足し、断熱性・保温性も不十分となる。
【００１５】
この外容器２の開口部に形成した鍔部４は、上面が略水平面になっており、且つ鍔部基端から突端までの長さが３ｍｍ以上であることが好ましい。鍔部４の上面を略水平面とし、前記長さを３ｍｍ以上とすれば、この鍔部４の上面に内容器３のフランジ部５を安定な状態で載せ、内容器３を安定に支持することができる。一方、前記長さが大きすぎると、取り扱い難くなり、また見栄えも悪くなることから、前記長さは３〜１０ｍｍ程度とすることが好ましい。この鍔部４の突端は、内容器３の口部６と垂下部８の間に当接し、内容器３が外容器２から抜け出し難くなっている。
【００１６】
この外容器２には、表面硬度の低い発泡体からなる外容器２表面を傷付き難くするため、外容器２外面に意匠や着色を施して商品価値を高めるため、或いは内容物・製造業者その他を表示する等の目的で、外容器２の外面および／または内面に、透明、着色或いは印刷した熱可塑性フィルムを貼り付けてもよい。熱可塑性フィルムの材質は、特に限定されないが、外容器の材質に合わせて選択することが望ましい。例えば、外容器２が発泡ポリスチレンの場合は、印刷性、機材との接着性等からポリスチレン系樹脂が好ましい。熱可塑性フィルムの貼付方法は、限定されないが、容器成形前のシートに熱や接着剤等で貼付し、その後容器に成形する等、包装用容器において一般に行われている方法を適用することができる。
【００１７】
本実施形態において、内容器３は、高密度ポリエチレン系樹脂やポリプロピレン系樹脂等のポリオレフィン系樹脂、或いはポリスチレンにポリフェニレンエーテルを混合した樹脂、或いはこれらの樹脂にタルクなどの充填剤を配合した組成物からなる厚さ０．２〜１ｍｍのシートを真空成形、圧空成形、或いは真空・圧空成形等で容器の形状に成形したものが好ましく使用できる。また、ポリエチレンテレフタレートなどの結晶性ポリエステル樹脂からなり、未結晶状態のシートを前記と同様の方法で容器に成形後、熱処理により結晶化させて耐熱性を付与した材料も使用できる。このシート厚さが０．２ｍｍ未満であると、容器として形状を保持するのに必要な強度が不足する上、電子レンジ加熱後の容器の垂下が大きくなり過ぎる。一方、シート厚さが１ｍｍを超えると、容器が硬くなり過ぎて外容器や蓋との嵌合作業がやり難くなる上、重さやコストが過大になる。
【００１８】
内容器３のフランジ部５は、食品の収容時に外容器２の鍔部４に当接して内容器３を支えるとともに、蓋１１を垂直方向に支える部分でもある。フランジ部５の幅は特に限定されないが、１ｍｍ〜８ｍｍ程度とするのが好ましい。このフランジ部５は略水平面に形成しても良いが、口部６側を上り勾配５〜３０度程度の角度で傾斜させておくことにより、加熱食品の飲食時にフランジ部５に液体が溜まらないので、好ましい。
【００１９】
内容器３の口部６は、内容器３内の食品を飲食する際に口を付け易いように内容器３が上方に突出した部分である。その逆Ｕ字状または逆Ｖ字状断面の寸法は、幅（太さ）が最も太いところで１〜１０ｍｍ、好ましくは２〜７ｍｍで、高さが５〜４０ｍｍの範囲が好適である。
口部６に口を付けて液体を飲む時に、幅が１ｍｍ未満では薄すぎて紙を噛んでいるような感触となり、また幅が１０ｍｍを超えると、厚すぎて違和感を生じると共に、口の端から液体が漏れ易い。また、幅が１ｍｍ以下で高さが５ｍｍ以上の逆Ｕ字状口部は成形が困難である。逆Ｕ字状又は逆Ｖ字状の頂部は、断面が鋭角でないことが好ましく、半円形、楕円形、或いはＲのついた多角形が好適である。
【００２０】
口部６内面の上部には、蓋１１を案内するために、容器内側方向に傾斜させたテーパー状の嵌合部９が形成されている。この嵌合部９を形成したことにより、内容器３の口部６に蓋１１をスムーズに案内し、この蓋１１を内嵌合してしっかり固定できるので、誤って容器を傾けても内容物がこぼれることを防止できる。
また口部６内面の下部を容器外側方向に傾斜させたテーパー部とし、蓋１１が内嵌合できるようにしてもよい。
【００２１】
口部６内面上部には、周方向に沿って円弧状凹部１０が連続して形成されている。この円弧状凹部１０の幅及び凹み深さは特に限定されず、例えば幅は５ｍｍ〜３０ｍｍ程度、凹み深さは０．３ｍｍ〜２ｍｍ程度とすることができる。この円弧状凹部１０を形成したことにより、内容器３の口部６から直接液体を飲む際に、口の端から液体が漏れることが少なくなる。
【００２２】
口部６に連続して設けられた垂下部８は、外容器２の鍔部４を覆い、その下部に容器内側方向に膨出する係止部７が設けられた構造になっている。本例示において、この係止部７は、垂下部８の周方向に沿って複数の島状に設けられている。この係止部７は、外容器２の鍔部４下側に位置しており、外容器２の鍔部４突端に係止するようになっている。
【００２３】
この垂下部８には、容器を手で持つための或いは蓋を外す時に内容器を固定するために掴む把手１４が、内容器３の外側に向けて形成されている。この把手１４の部分または円周方向の他の任意の位置において、外容器２の鍔部４を下方に窪ませるか、又は内容器３のフランジ部５を上方に窪ませるなどの変形を与えて、電子レンジ加熱により加熱膨張した内外容器間の空気の連通部を設けておくことが好ましい。
【００２４】
内容器３と外容器２の間には、側壁部及び底部に空間が設けられている。この空間は、内外容器の側壁部及び底部の全面に設けることが好ましいが、一部であってもよい。内容器３外面および／または外容器２内面に、突起、リブなどを形成して内容器３を支え、内容器３と外容器２の間隔を安定に保持する構造としても良い。内容器３と外容器２の間の空気は、フランジ部５で遮断されて口部６に至らない構造とすることが好ましい。
【００２５】
蓋１１の材質は、ポリスチレン系樹脂、アモルファスポリエステル等の透明性が高く成形の容易な樹脂シートからなるものが好ましいが、耐熱性のよいポリプロピレン系樹脂、高密度ポリエチレン系樹脂、結晶性ポリエステル系樹脂などであってもよく、特に制限されない。
【００２６】
蓋１１の形状は特に限定されない。蓋１１の中央天板部は、平面、ドーム状その他用途に合わせて任意の形状とすることができる。
蓋１１を内容器３に装着する方法は限定されないが、蓋に凝縮した水分などが外に漏れないようにするために、内容器３に内嵌合する方法が好ましい。この場合、蓋１１の外周部に内容器の口部に内嵌合される凹字状或いは逆Ｕ字状の凹部を形成することが好ましい。図１の例示では、平面状の中央天板部を有し、その周縁に下方に向けて伸びる断面Ｕ字状の嵌合凸部１２が形成され、該嵌合凸部１２の外周には一対の蓋ツマミ片１３が形成されている。この嵌合凸部１２は、内容器３の口部６に内嵌合され、嵌合された蓋１１は蓋ツマミ片１３を摘んで引き上げることで口部６から外せるようになっている。蓋１１の装着方法はこれ以外にも、例えば、単に内容器３のフランジ部５に載せるだけ、或いは、天板に凝縮した水分が容器内に落ちるように誘導する下向きの凹条部を設けた上で内容器３の口部６外面或いは垂下部８等に外嵌合する方法であっても良い。
蓋１１の中央に、Ｖ字状やＵ字状などの任意のスリットを設けておくと、電子レンジ加熱により膨張した空気や発生した蒸気を逃がすことができるので好ましい。
【００２７】
本実施形態の電子レンジ加熱用容器１は、内容器３のフランジ部５下面が外容器２の鍔部４上面に当接する構成としたので、内容器３の変形し易いフランジ部５を外容器２の鍔部４で直接支えることができ、内容器３に内容物を収容して電子レンジ加熱した時に、内容物の熱や重量負荷による内容器３の垂下を防いで外容器２と内容器３の接触を防止できる。
また、内容器３と外容器２の間の空気がフランジ部５で遮断されて口部６に至らないので、口部６が熱くならない。
また、外容器２が発泡体なので、電子レンジ加熱後も容器外側は熱くならず、容器を手で持っても熱くない。また、発泡体は熱伝導率が低く曲げ強度が強いので、電子レンジ加熱後に外容器２を手で持った際に変形し難い。
また、口部６断面が逆Ｕ字状又は逆Ｖ字状なので、内容器３の口部６から直接液体を飲みやすい形状である。
また、口部６の内側上部に周方向に沿って円弧状凹部１０を連続して形成したことにより、内容器３の口部６から直接液体を飲む際に、口の端から液体が漏れることが少なくなる。
また、口部６の内側に蓋１１を案内するテーパー状の嵌合部９を形成したことにより、内容器３の口部６に蓋１１をスムーズに案内し、この蓋１１を内嵌合してしっかり固定できるので、誤って容器を傾けても内容物がこぼれることを防止できる。
また、外容器２の鍔部４を略水平面とし、且つ鍔部基端から突端までの長さを３ｍｍ以上としたので、内容器３を支える幅が広く、内容器３をより安定して支持できる。
また、外容器２の外面および／または内面に熱可塑性樹脂フィルムを貼付したことにより、外容器２外面の傷付き防止及び装飾や表示が可能となり、外容器２の意匠性を向上できる。
【００２８】
本実施形態の電子レンジ加熱用容器１は、外容器２に内容器３を入れ、外容器２の鍔部４を垂下部８の内側に挿入し、鍔部４の上面をフランジ部５と接触又は近接させると共に、鍔部４の突端を口部６と垂下部８の間に当接させた状態とし、内容器３内に種々の食品を収容した後、蓋１１を内嵌合し、或いは予め食品を収容し、蓋１１を内嵌合した内容器３を外容器２にセットし、必要に応じてフィルム等で包み、電子レンジ加熱用包装食品として利用される。
【００２９】
電子レンジ加熱用容器１に収容される食品は、運搬・保管が容易で、電子レンジで加熱調理又は解凍するだけで簡単に食べることができる調理食品である。この食品に使用されるソース、スープ、つゆなどの液体成分は、ゼラチン、寒天、カラギーナン、グアーガム、キサンタンガム等の食品固化剤又はそれらの混合物等で固化したものが使用できる。食品固化剤の中でも、ゼラチンで液体成分を固化した食品が好適に使用できる。ゼラチン等の食品固化剤で固化した液体成分は、電子レンジ加熱調理時に液状化し、麺などの主食品と混ぜることができる。
また、ご飯やパスタ、麺類等の主食材は、ゼラチンゼリーなどで被覆し、電子レンジで加熱調理又は解凍する際に水分が蒸散してパサパサにならないようにすることができる。
【００３０】
図４及び図５は、本発明の電子レンジ加熱用容器の第２実施形態を示す図であり、図４は電子レンジ加熱用容器１５の断面図、図５は電子レンジ加熱用容器１５の要部拡大断面図である。本実施形態の電子レンジ加熱用容器１５は、前述した第１実施形態の電子レンジ加熱用容器１とほぼ同様の構成要素を備えて構成され、同一の構成要素には同一符号を付してある。
【００３１】
本実施形態の電子レンジ加熱用容器１５は、内容器１６の口部６と垂下部８との間にフランジ部５とほぼ同じ高さの段部１７を設け、外容器２の鍔部４の上面にフランジ部５と段部１７の両方を載せて内容器１６を支持できるようにしたことを特徴としている。
この段部１７は略水平に形成でき、またその幅は１ｍｍ〜５ｍｍ程度が好ましい。
【００３２】
本実施形態の電子レンジ加熱用容器１５は、前述した第１実施形態の電子レンジ加熱用容器１と同様の効果が得られ、さらに、内容器１６の口部６と垂下部８との間に、フランジ部５とほぼ同じ高さの段部１７を設け、内容器１６がフランジ部５と段部１７の２箇所で外容器２の鍔部４に支持されるので、内容器１６が更に安定して支持される。
【００３３】
図６は、本発明の電子レンジ加熱用容器の第３実施形態を示す側面図であり、本実施形態の電子レンジ加熱用容器１８は、熱可塑性樹脂発泡成形体からなる外容器１９と、熱可塑性樹脂シート成形体からなる内容器２０と、内容器２０の口部に嵌合された蓋２１とを備えて構成されている。これらの外容器１９、内容器２０及び蓋２１の主要な構成や材質は、前述した第１実施形態の電子レンジ加熱用容器１又は第２実施形態の電子レンジ加熱用容器１５と同様である。
【００３４】
本実施形態の電子レンジ加熱用容器１８は、第１、第２実施形態の電子レンジ加熱用容器１，１５よりも高さの低い容器形状とし、外容器１９の立上がり部２２に、該立上がり部２２の曲面を平面状に形成したフラット部２３を複数箇所に設けると共に、これらのフラット部２３を含む電子レンジ加熱用容器１８外周に帯２４を巻き付けた構成になっている。この帯２４は、製品の輸送時や陳列時等で蓋２１が外れるのを防止するためのものであり、合成樹脂フィルム、紙、不織布などから作られている。この帯２４には、製品の説明（製品名、調理手順、原材料表示等）、マークなどの表示をすることができる。また、この帯２４には、消費者が簡単に切断できるように、ミシン目などの弱化線を形成することが好ましい。
【００３５】
本実施形態の電子レンジ加熱用容器１８は、前述した第１、第２実施形態の電子レンジ加熱用容器１，１５と同様の効果が得られ、さらに外容器１９に帯２４を巻き付け易いフラット部２３を設けたことにより、開口形状が円形の容器であっても、このフラット部２３を利用して帯２４を簡単に且つ確実に巻き付けることができる。
【図面の簡単な説明】
【００３６】
【図１】本発明の電子レンジ加熱用容器の第１実施形態を示す断面図である。
【図２】第１実施形態の電子レンジ加熱用容器の要部拡大断面図である。
【図３】第１実施形態の内容器の斜視図である。
【図４】本発明の電子レンジ加熱用容器の第２実施形態を示す断面図である。
【図５】第２実施形態の電子レンジ加熱用容器の要部拡大断面図である。
【図６】第３実施形態の電子レンジ加熱用容器の側面図である。
【符号の説明】
【００３７】
１，１５，１８…電子レンジ加熱用容器、２，１９…外容器、３，１６，２０…内容器、４…鍔部、５…フランジ部、６…口部、７…係止部、８…垂下部、９…嵌合部、１０…円弧状凹部、１１，２１…蓋、１２…嵌合凸部、１３…蓋ツマミ片、１４…把手、１７…段部、２２…立上がり部、２３…フラット部、２４…帯。
【図１】
2005343533.tif 000003
【図２】
2005343533.tif 000004
【図３】
2005343533.tif 000005
【図４】
2005343533.tif 000006
【図５】
2005343533.tif 000007
【図６】
2005343533.tif 000008